(57)【特許請求の範囲】
【請求項１】
試験すべき鋼管柱の基端を固定し、前記鋼管柱の先端に前記鋼管柱と直角に固定されたワイヤーを滑車を介して油圧シリンダーにより水平方向に引っ張り、かくして、前記鋼管柱を前記基端を支点として水平方向に変形させることを特徴とする鋼管柱曲げ試験方法。
【請求項２】
前記鋼管柱は、テーパー管であることを特徴とする、請求項１に記載の鋼管柱曲げ試験方法。
【請求項３】
前記鋼管柱を支持する中間支持梁を設けることを特徴とする、請求項１または２に記載の鋼管柱曲げ試験方法。
【請求項４】
基台と、前記基台上に水平に固定された主梁と、前記基台上に固定された、試験すべき鋼管柱の基端を、前記主梁に対して傾斜して固定する固定台と、前記基台上に固定された油圧シリンダーと、一端が前記鋼管柱の先端に、前記鋼管柱と直角に、前記主梁に取り付けられた滑車を介して固定され、他端が前記油圧シリンダーに接続されたワイヤーとを備え、前記油圧シリンダーにより前記ワイヤーを水平方向に引っ張ることによって、前記鋼管柱を前記基端を支点として水平方向に変形させることを特徴とする鋼管柱曲げ試験装置。
【請求項５】
前記鋼管柱は、テーパー管であることを特徴とする、請求項４に記載の鋼管柱曲げ試験装置。
【請求項６】
前記鋼管柱と前記主梁との間に、前記鋼管柱を支持する中間支持梁が設けられていることを特徴とする、請求項４または５に記載の鋼管柱曲げ試験装置。
【発明の詳細な説明】
【技術分野】
【０００１】
この発明は、鋼管柱曲げ試験方法および装置、特に、試験場所が限定されず、鋼管柱の変形状況を容易に把握することができ、しかも、安全かつ確実に試験を行うことができる、鋼管柱曲げ試験方法および装置に関するものである。
【背景技術】
【０００２】
鋼管柱は、要求性能として、設計荷重まで載荷したとき、塗装を含め鋼管柱全体に座屈などの異常がないこと、破壊時の荷重は設計荷重の２倍以上であること、及び設計荷重載荷時の鋼管柱のたわみ量（ｔａｎθ）は、０．０７以下であることが求められている。この要求性能を確認する方法としての強度試験は、鋼管柱の曲げ試験により行われる。
【０００３】
鋼管柱の従来の曲げ試験装置の一例を、図面を参照しながら説明する。以下、この試験装置を従来曲げ試験装置という。
【０００４】
図２は、従来曲げ試験装置を示す概略断面図である。
【０００５】
図２に示すように、従来曲げ試験装置は、地下に掘られたピット１１と、ピット１１の一端側の地上に設置された、試験すべき鋼管柱１２の基部１２ａを固定する固定台１３と、ピット１１の他端側の地上に設置された油圧シリンダー１４と、ピット１１内に設置された滑車１５と、油圧シリンダー１４側の地上に設置された滑車１６と、一端が鋼管柱１２の先端１２ｂに固定され、他端が滑車１５および滑車１６を介して油圧シリンダー１４に接続されたワイヤー１７とを備えている。
【０００６】
従来曲げ試験装置により鋼管柱１２の曲げ試験を行うには、鋼管柱１２の基部１２ａを固定台１３に水平に固定し、ワイヤー１７の一端を鋼管柱１２の先端１２ｂに固定し、ワイヤー１７の他端を滑車１５および滑車１６を介して油圧シリンダー１４に接続する。
【０００７】
次いで、油圧シリンダー１４によりワイヤー１７を設計荷重まで引っ張り、載荷して、鋼管柱１２を基部１２ａを支点として下方に湾曲させる。
【０００８】
そして、油圧シリンダー１４による荷重を除き、除荷時の鋼管柱１２の残留たわみ量を測定して、鋼管柱１２の変形状況を把握する。すなわち、残留たわみ量がほぼなく、座屈等の異常が確認されなかった場合には、鋼管柱１２は、所定の強度を有しているものと判断する。
【発明の概要】
【発明が解決しようとする課題】
【０００９】
上述した従来曲げ試験装置によれば、鋼管柱１２の強度を試験することはできるが、以下のような問題があった。
（ａ）曲げ試験装置が地面に固定され、しかも、地下に掘られたピット１１を使用するので、試験装置を他の場所に移動することができない。従って、試験場所が限定される。
（ｂ）除荷時の鋼管柱１２の残留たわみ量を測定して、鋼管柱１２の変形状況を把握するが、鋼管柱１２は、鉛直方向に変形するので、鋼管柱１２の変形状況を把握しにくい。
（ｃ）鋼管柱１２のたわみ量の測定は、ピット１１に直尺を測定毎に当てて行うが、測定時にピット１１内に転落するおそれがあり、危険が伴う。
（ｄ）鋼管柱１２に座屈が生じた場合、座屈箇所は、鋼管柱１２が鉛直方向に変形するので、鋼管柱１２の下面に生じる。このために、座屈箇所を確認しづらい。
【００１０】
従って、この発明の目的は、試験場所が限定されず、鋼管柱の変形状況を容易に把握することができ、しかも、安全かつ確実に試験を行うことができる、鋼管柱の曲げ試験方法および装置を提供することにある。
【課題を解決するための手段】
【００１１】
この発明は、上記目的を達成するためになされたものであって、下記を特徴とする。
【００１２】
請求項１に記載の発明は、試験すべき鋼管柱の基端を固定し、前記鋼管柱の先端に前記鋼管柱と直角に固定されたワイヤーを滑車を介して油圧シリンダーにより水平方向に引っ張り、かくして、前記鋼管柱を前記基端を支点として水平方向に変形させることに特徴を有するものである。
【００１３】
請求項２に記載の発明は、請求項１に記載の発明において、前記鋼管柱は、テーパー管であることに特徴を有するものである。
【００１４】
請求項３に記載の発明は、請求項１または２に記載の発明において、前記鋼管柱を支持する中間支持梁を設けることに特徴を有するものである。
【００１５】
請求項４に記載の発明は、基台と、前記基台上に水平に固定された主梁と、前記基台上に固定された、試験すべき鋼管柱の基端を、前記主梁に対して傾斜して固定する固定台と、前記基台上に固定された油圧シリンダーと、一端が前記鋼管柱の先端に、前記鋼管柱と直角に、前記主梁に取り付けられた滑車を介して固定され、他端が前記油圧シリンダーに接続されたワイヤーとを備え、前記油圧シリンダーにより前記ワイヤーを水平方向に引っ張ることによって、前記鋼管柱を前記基端を支点として水平方向に変形させることに特徴を有するものである。
【００１６】
請求項５に記載の発明は、請求項４に記載の発明において、前記鋼管柱は、テーパー管であることに特徴を有するものである。
【００１７】
請求項６に記載の発明は、請求項４または５に記載の発明において、前記鋼管柱と前記主梁との間に、前記鋼管柱を支持する中間支持梁が設けられていることに特徴を有するものである。
【発明の効果】
【００１８】
この発明によれば、従来曲げ試験装置のように、地下にピットを掘る必要がないので、試験装置を他の場所に容易に移動することができる。従って、試験場所が限定されない。
【００１９】
また、この発明によれば、鋼管柱は、水平方向に変形するので、鋼管柱の変形状況を容易に把握することができる。
【００２０】
また、この発明によれば、鋼管柱に座屈が生じた場合、座屈箇所は、鋼管柱が水平方向に変形するので、鋼管柱の側面に生じる。このために、座屈箇所が確認しやすい。
【００２１】
また、この発明によれば、従来曲げ試験装置のように、ピットを使用しないので、鋼管柱のたわみ量の測定が安全に行える。
【図面の簡単な説明】
【００２２】
【図１】この発明の鋼管柱曲げ試験装置を示す平面図である。
【図２】従来曲げ試験装置を示す概略断面図である。
【発明を実施するための形態】
【００２３】
この発明の鋼管柱曲げ試験装置の一実施態様を、図面を参照しながら説明する。
【００２４】
図１は、この発明の鋼管柱曲げ試験装置を示す平面図である。
【００２５】
図１において、１ａ、１ｂ、１ｃは、基台、２は、基台１ａ、１ｂ、１ｃ上に水平に固定された主梁、３は、基台１ａ、１ｂ上に固定された固定台である。固定台３は、試験すべき鋼管柱４の基端４ａを、主梁２に対して傾斜して固定する。傾斜角度を図中、（θ）で示す。鋼管柱４は、テーパー管からなり、大径側の基端４ａが固定台３に固定される。
【００２６】
固定台３は、開閉自在な半円筒形状の上部固定部材および下部固定部材からなっている。下部固定部材上に鋼管柱４の基端４ａを載置し、上部固定部材を閉じることによって、鋼管柱４は、水平に固定される。
【００２７】
５は、基台１ａ、１ｂ上に固定された油圧シリンダー、６は、ワイヤーである。ワイヤー６の一端は、鋼管柱４の先端４ｂに、主梁２に取り付けられた滑車７を介して鋼管柱４と直角に固定され、ワイヤー６の他端は、油圧シリンダー５に接続されている。８は、ワイヤー６の途中に設置されたロードセルであり、ワイヤー６の引張荷重を測定する。
【００２８】
９は、鋼管柱４と主梁２との間に亘って設けられた中間支持梁であり、鋼管柱４は、中間支持梁９に沿って変形する。
【００２９】
このように構成されている、この発明の鋼管柱曲げ試験装置によれば、以下のようにして、鋼管柱４の曲げ試験が行われる。
【００３０】
鋼管柱４の基端４ａを固定台３に固定する。次いで、鋼管柱４の先端４ｂにワイヤー６の一端を固定し、ワイヤー６の他端を滑車７を介して油圧シリンダー５に接続する。
【００３１】
次いで、油圧シリンダー５によりワイヤー６を設計荷重まで引っ張り、載荷して、鋼管柱４を基部４ａを支点として水平に湾曲させる。設計荷重は、ロードセル８によって測定する。
【００３２】
そして、油圧シリンダー５による荷重を除き、除荷時の鋼管柱４の残留たわみ量を測定して、鋼管柱４の変形状況を把握する。すなわち、残留たわみ量がほぼなく、座屈等の異常が確認されなかった場合には、鋼管柱２は、所定の強度を有しているものと判断する。
【００３３】
この発明によれば、従来曲げ試験装置のように、地下にピットを掘る必要がないので、試験装置を他の場所に容易に移動することができる。従って、試験場所が限定されない。
【００３４】
また、この発明によれば、鋼管柱４は、水平方向に変形するので、鋼管柱４の変形状況を容易に把握することができる。
【００３５】
また、この発明によれば、鋼管柱４に座屈が生じた場合、座屈箇所は、鋼管柱４が水平方向に変形するので、鋼管柱４の側面に生じる。このために、座屈箇所が確認しやすい。
【００３６】
また、この発明によれば、従来曲げ試験装置のように、ピットを使用しないので、鋼管柱４のたわみ量の測定が安全に行える。
【符号の説明】
【００３７】
１ａから１ｃ：基台
２：主梁
３：固定台
４：鋼管柱
４ａ：基端
４ｂ：先端
５：油圧シリンダー
６：ワイヤー
７：滑車
８：ロードセル
９：中間支持梁
１１：ピット
１２：鋼管柱
１２ａ：基端
１２ｂ：先端
１３：固定台
１４：油圧シリンダー
１５：滑車
１６：滑車
１７：ワイヤー
【図１】
0006397752.tif 000002
【図２】
0006397752.tif 000003